(57)【特許請求の範囲】
【請求項１】
円柱箱体を含み、前記円柱箱体の上面には半円台がスライド可能に設置され、前記円柱箱体の中には拡散空間が設置され、前記拡散空間の底部に位置する前記円柱箱体の中には貯蔵空間が設置され、前記貯蔵空間と前記拡散空間との間には横仕切り板が固定的に設置され、前記横仕切り板には二つの大型貫通穴が左右対称になるように設置され、前記大型貫通穴が前記拡散空間と前記貯蔵空間とを連通させ、前記円柱箱体の左右側にはいずれも円管が固定的に設置され、前記円管が前記大型貫通穴と連通しており、前記貯蔵空間の中に香水を貯蔵でき、前記貯蔵空間の中には振動可能な振動板が設置され、前記振動板には細穴が設置され、前記貯蔵空間の左右側の壁体内部にはいずれも伝動空間が設置され、前記振動板の左右端はいずれも前記伝動空間の中に延びており、前記伝動空間の中には前記振動板に衝突できるインパクトボールが設置され、前記インパクトボールが前記振動板に衝突することにより、前記振動板が振動して香水の揮発を促進し、前記貯蔵空間の底壁には電気抵抗線が固定的に設置され、前記電気抵抗線が香水を加熱することで、香水をより速く揮発させられ、前記横仕切り板の上部には動力モータによって駆動されるファンが回転可能に設置され、前記半円台の底面には円突起ブロックが固定的に設置され、前記ファンからの風が前記円突起ブロックの弧状の底壁に当たって吹く方向が変わることで、香水の香りが前記ファンによって各方向に広がることを特徴とする車用香水の電子スプレ。
【請求項２】
前記半円台の中には縦軸が回転可能に設置され、前記縦軸の上端には前記半円台の外に位置するつまみが固定的に設置され、前記半円台の中にはベルト空間が設置され、前記縦軸の底部延伸部分の外周には第一プーリが固定的に設置され、前記ベルト空間の底壁には二つのスクリュー軸が前後対称になるように且つ回転可能に設置され、二つの前記スクリュー軸の上端にはいずれも第二プーリが固定的に設置され、前記第二プーリと前記第一プーリとは第一ベルトによって連結され、前記スクリュー軸の底部延伸部分にはねじ山が形成され、且つ前記スクリュー軸が前記円柱箱体とねじ山により連結されていることを特徴とする請求項１に記載の車用香水の電子スプレ。
【請求項３】
前記半円台の上面にはソーラーパネルが固定的に設置され、前記半円台の中には蓄電池が固定的に設置され、前記蓄電池は前記ソーラーパネルの電気エネルギーを貯蔵できることを特徴とする請求項２に記載の車用香水の電子スプレ。
【請求項４】
前記貯蔵空間の底壁の中には動力空間が設置され、前記動力空間の底壁には動力モータが固定的に嵌め込まれ、前記動力モータと前記蓄電池とが通電可能に接続され、前記動力モータの上端には動力軸が伝動可能に連結され、前記動力軸が前記横仕切り板を貫通しており、且つ前記動力軸が前記横仕切り板と回転可能に連結され、前記動力軸の左右側に位置する前記横仕切り板の中にはいずれもファン軸が回転可能に設置され、前記ファン軸の上端と前記動力軸の上端にはいずれも前記ファンが固定的に設置され、前記動力軸の外周には第三プーリが固定的に設置され、前記ファン軸の外周には第四プーリが固定的に設置され、前記第四プーリと前記第三プーリとは第二ベルトによって連結されていることを特徴とする請求項３に記載の車用香水の電子スプレ。
【請求項５】
前記伝動空間の中にはいずれもインパクト板がスライド可能に設置され、前記インパクト板の上端が前記インパクトボールと固定され、前記動力空間の左右側にはいずれも円型空間が設置され、前記インパクト板と前記円型空間の底壁とはばねによって連結され、前記インパクト板の片側面にはいずれも小型固定軸が固定的に設置され、前記円型空間と前記動力空間との間にはいずれも横軸が回転可能に設置され、前記横軸において互いに近接する側にはいずれも従動傘歯車が固定的に設置され、前記動力軸の外周には動力傘歯車が固定的に設置され、前記動力傘歯車が前記従動傘歯車と噛み合っており、前記横軸において互いに離れた側にはいずれも円輪が固定的に設置され、二つの前記円輪において互いに離
れた側にはいずれも不規則半円環が固定的に設置され、前記円輪が前記小型固定軸と当接していることを特徴とする請求項４に記載の車用香水の電子スプレ。
【請求項６】
前記半円台の底面には二つのスライド板が左右対称になるように且つ固定的に設置され、前記スライド板には貫通口が設置され、前記貫通口が前記円管と前記大型貫通穴とを連通させられることを特徴とする請求項５に記載の車用香水の電子スプレ。
【発明の詳細な説明】
【技術分野】
【０００１】
本願発明はカーエレクトロニクス技術分野を取り上げて、具体的には車用香水の電子スプレである。
【背景技術】
【０００２】
カーエレクトロニクスとは、自動車に搭載して活用される電子制御技術、あるいは車載用の電子機器などの総称である。カーオーディオシステム、ナビゲーションシステム、カーインフォメーションシステム、車載家電製品などがカーエレクトロニクスに含まれる。従来の車用香水設備は、一般に単一構造しか有さなく、単なる穴のある容器であり、香水を容器の中に置いて香水を揮発させることで機能を果たし、しかし、このような構造では香水の揮発具合を制御できないため、香水の浪費問題を引き起こしてしまう。
【先行技術文献】
【特許文献】
【０００３】
【特許文献１】中国特許出願公開第１０２０５８２３３号明細書
【発明の概要】
【発明が解決しようとする課題】
【０００４】
本願は車用香水の電子スプレを提供し、従来技術における上記欠点を解消することを目的とする。
【課題を解決するための手段】
【０００５】
本願発明の車用香水の電子スプレは、円柱箱体を含み、前記円柱箱体の上面には半円台がスライド可能に設置され、前記円柱箱体の中には拡散空間が設置され、前記拡散空間の底部に位置する前記円柱箱体の中には貯蔵空間が設置され、前記貯蔵空間と前記拡散空間との間には横仕切り板が固定的に設置され、前記横仕切り板には二つの大型貫通穴が左右対称になるように設置され、前記大型貫通穴が前記拡散空間と前記貯蔵空間とを連通させ、前記円柱箱体の左右側にはいずれも円管が固定的に設置され、前記円管が前記大型貫通穴と連通しており、前記貯蔵空間の中に香水を貯蔵でき、前記貯蔵空間の中には振動可能な振動板が設置され、前記振動板には細穴が設置され、前記貯蔵空間の左右側の壁体内部にはいずれも伝動空間が設置され、前記振動板の左右端はいずれも前記伝動空間の中に延びており、前記伝動空間の中には前記振動板に衝突できるインパクトボールが設置され、前記インパクトボールが前記振動板に衝突することにより、前記振動板が振動して香水の揮発を促進し、前記貯蔵空間の底壁には電気抵抗線が固定的に設置され、前記電気抵抗線が香水を加熱することで、香水をより速く揮発させられ、前記横仕切り板の上部には動力モータによって駆動されるファンが回転可能に設置され、前記半円台の底面には円突起ブロックが固定的に設置され、前記ファンからの風が前記円突起ブロックの弧状の底壁に当たって吹く方向が変わることで、香水の香りが前記ファンによって各方向に広がる。
【０００６】
一つの実施例において、前記半円台の中には縦軸が回転可能に設置され、前記縦軸の上端には前記半円台の外に位置するつまみが固定的に設置され、前記半円台の中にはベルト空間が設置され、前記縦軸の底部延伸部分の外周には第一プーリが固定的に設置され、前記ベルト空間の底壁には二つのスクリュー軸が前後対称になるように且つ回転可能に設置され、二つの前記スクリュー軸の上端にはいずれも第二プーリが固定的に設置され、前記第二プーリと前記第一プーリとは第一ベルトによって連結され、前記スクリュー軸の底部延伸部分にはねじ山が形成され、且つ且つ前記スクリュー軸が前記円柱箱体とねじ山により連結されている。
【０００７】
一つの実施例において、前記半円台の上面にはソーラーパネルが固定的に設置され、前記半円台の中には蓄電池が固定的に設置され、前記蓄電池は前記ソーラーパネルの電気エネルギーを貯蔵できる。
【０００８】
一つの実施例において、前記貯蔵空間の底壁の中には動力空間が設置され、前記動力空間の底壁には動力モータが固定的に嵌め込まれ、前記動力モータと前記蓄電池とが通電可能に接続され、前記動力モータの上端には動力軸が伝動可能に連結され、前記動力軸が前記横仕切り板を貫通しており、且つ前記動力軸が前記横仕切り板と回転可能に連結され、前記動力軸の左右側に位置する前記横仕切り板の中にはいずれもファン軸が回転可能に設置され、前記ファン軸の上端と前記動力軸の上端にはいずれも前記ファンが固定的に設置され、前記動力軸の外周には第三プーリが固定的に設置され、前記ファン軸の外周には第四プーリが固定的に設置され、前記第四プーリと前記第三プーリとは第二ベルトによって連結されている。
【０００９】
一つの実施例において、前記伝動空間の中にはいずれもインパクト板がスライド可能に設置され、前記インパクト板の上端が前記インパクトボールと固定され、前記動力空間の左右側にはいずれも円型空間が設置され、前記インパクト板と前記円型空間の底壁とはばねによって連結され、前記インパクト板の片側面にはいずれも小型固定軸が固定的に設置され、前記円型空間と前記動力空間との間にはいずれも横軸が回転可能に設置され、前記横軸において互いに近接する側にはいずれも従動傘歯車が固定的に設置され、前記動力軸の外周には動力傘歯車が固定的に設置され、前記動力傘歯車が前記従動傘歯車と噛み合っており、前記横軸において互いに離れた側にはいずれも円輪が固定的に設置され、二つの前記円輪において互いに離れた側にはいずれも不規則半円環が固定的に設置され、前記円輪が前記小型固定軸と当接している。
【００１０】
一つの実施例において、前記半円台の底面には二つのスライド板が左右対称になるように且つ固定的に設置され、前記スライド板には貫通口が設置され、前記貫通口が前記円管と前記大型貫通穴とを連通させられる。
【発明の効果】
【００１１】
本願発明の有益効果は：本願発明は手動でつまみを回すことで、半円台が上方へスライドし、拡散空間の上部の開口部を開けられ、半円台が上方へスライドすると同時に、スライド板が上方へスライドし、そして円管が大型貫通穴と連通し、これでボタン部品を設置する必要がなくなり、連動性が向上し、部品の数とコストも削減でき、また、動力モータの作動により横軸が回転し、インパクトボールがつれて振動板に衝突し続け、振動板が振動を行うことで香水をより速く揮発させ、その他、ソーラーパネルを用いるため、外部からの電気エネルギーの供給がいらず、即ち電気エネルギーを節約でき、要するに、本願発明は構造が簡単で、操作が便利で、車内に搭載して使用しやすい。
【図面の簡単な説明】
【００１２】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本願発明内部の全体構成模式図
【図２】図２は本願発明の半円台の左面図
【図３】図３は本願発明の不規則半円環の側面図
【図４】図４は本願発明の図１におけるＡの部分拡大模式図
【発明を実施するための形態】
【００１４】
図１〜４を参照し、本願発明の車用香水の電子スプレは、円柱箱体１０を含み、前記円柱箱体１０の上面には半円台３２がスライド可能に設置され、前記円柱箱体１０の中には拡散空間２５が設置され、前記拡散空間２５の底部に位置する前記円柱箱体１０の中には貯蔵空間２６が設置され、前記貯蔵空間２６と前記拡散空間２５との間には横仕切り板１８が固定的に設置され、前記横仕切り板１８には二つの大型貫通穴１７が左右対称になるように設置され、前記大型貫通穴１７が前記拡散空間２５と前記貯蔵空間２６とを連通させ、前記円柱箱体１０の左右側にはいずれも円管１１が固定的に設置され、前記円管１１が前記大型貫通穴１７と連通しており、前記貯蔵空間２６の中に香水を貯蔵でき、前記貯蔵空間２６の中には振動可能な振動板２２が設置され、前記振動板２２には細穴２３が設置され、前記貯蔵空間２６の左右側の壁体内部にはいずれも伝動空間１３が設置され、前記振動板２２の左右端はいずれも前記伝動空間１３の中に延びており、前記伝動空間１３の中には前記振動板２２に衝突できるインパクトボール５０が設置され、前記インパクトボール５０が前記振動板２２に衝突することにより、前記振動板２２が振動して香水の揮発を促進し、前記貯蔵空間２６の底壁には電気抵抗線５１が固定的に設置され、前記電気抵抗線５１が香水を加熱することで、香水をより速く揮発させられ、前記横仕切り板１８の上部には動力モータ３８によって駆動されるファン１４が回転可能に設置され、前記半円台３２の底面には円突起ブロック２４が固定的に設置され、前記ファン１４からの風が前記円突起ブロック２４の弧状の底壁に当たって吹く方向が変わることで、香水の香りが前記ファン１４によって各方向に広がる。
【００１５】
好ましくは、前記半円台３２の中には縦軸３１が回転可能に設置され、前記縦軸３１の上端には前記半円台３２の外に位置するつまみ３０が固定的に設置され、前記半円台３２の中にはベルト空間３５が設置され、前記縦軸３１の底部延伸部分の外周には第一プーリ２７が固定的に設置され、前記ベルト空間３５の底壁には二つのスクリュー軸３６が前後対称になるように且つ回転可能に設置され、二つの前記スクリュー軸３６の上端にはいずれも第二プーリ３７が固定的に設置され、前記第二プーリ３７と前記第一プーリ２７とは第一ベルト３３によって連結され、前記スクリュー軸３６の底部延伸部分にはねじ山が形成され、且つ前記スクリュー軸３６が前記円柱箱体１０とねじ山により連結され、手動で前記つまみ３０を回すと、前記半円台３２が上方へスライドし、前記拡散空間２５の上部を開けることで、香水が揮発できる。
【００１６】
好ましくは、前記半円台３２の上面にはソーラーパネル２９が固定的に設置され、前記半円台３２の中には蓄電池２８が固定的に設置され、前記蓄電池２８は前記ソーラーパネル２９の電気エネルギーを貯蔵できる。
【００１７】
好ましくは、前記貯蔵空間２６の底壁の中には動力空間４５が設置され、前記動力空間４５の底壁には動力モータ３８が固定的に嵌め込まれ、前記動力モータ３８と前記蓄電池２８とが通電可能に接続され、前記動力モータ３８の上端には動力軸１９が伝動可能に連結され、前記動力軸１９が前記横仕切り板１８を貫通しており、且つ前記動力軸１９が前記横仕切り板１８と回転可能に連結され、前記動力軸１９の左右側に位置する前記横仕切り板１８の中にはいずれもファン軸１５が回転可能に設置され、前記ファン軸１５の上端と前記動力軸１９の上端にはいずれも前記ファン１４が固定的に設置され、前記動力軸１９の外周には第三プーリ２０が固定的に設置され、前記ファン軸１５の外周には第四プーリ１６が固定的に設置され、前記第四プーリ１６と前記第三プーリ２０とは第二ベルト２１によって連結され、前記動力モータ３８を作動させることで、前記ファン１４は風を吹くことができる。
【００１８】
好ましくは、前記伝動空間１３の中にはいずれもインパクト板４６がスライド可能に設置され、前記インパクト板４６の上端が前記インパクトボール５０と固定され、前記動力空間４５の左右側にはいずれも円型空間４９が設置され、前記インパクト板４６と前記円型空間４９の底壁とはばね４８によって連結され、前記インパクト板４６の片側面にはいずれも小型固定軸４７が固定的に設置され、前記円型空間４９と前記動力空間４５との間にはいずれも横軸４２が回転可能に設置され、前記横軸４２において互いに近接する側にはいずれも従動傘歯車４４が固定的に設置され、前記動力軸１９の外周には動力傘歯車４３が固定的に設置され、前記動力傘歯車４３が前記従動傘歯車４４と噛み合っており、前記横軸４２において互いに離れた側にはいずれも円輪４１が固定的に設置され、二つの前記円輪４１において互いに離れた側にはいずれも不規則半円環４０が固定的に設置され、前記円輪４１が前記小型固定軸４７と当接し、前記不規則半円環４０の回転により、前記インパクト板４６が上下にスライドできる。
【００１９】
好ましくは、前記半円台３２の底面には二つのスライド板６０が左右対称になるように且つ固定的に設置され、前記スライド板６０には貫通口１２が設置され、前記貫通口１２が前記円管１１と前記大型貫通穴１７とを連通させられる。
【００２０】
使用時、まずつまみ３０を回すことで、縦軸３１が回転し、スクリュー軸３６を回転させ、そして半円台３２が連動して上昇し、また、スライド板６０が半円台３２に駆動されて上方へスライドすることで、貫通口１２が円管１１と大型貫通穴１７とを連通させ、また、電気抵抗線５１を作動させることで、貯蔵空間２６の中にある香水に加熱を行い、さらに動力モータ３８を制御して作動させ、動力軸１９を回転させ、動力傘歯車４３が従動傘歯車４４を回転させ、そして横軸４２が連動して回転し、円輪４１に不規則半円環４０を回転させ、不規則半円環４０が小型固定軸４７を駆動して上下にスライドさせ、また、インパクト板４６が上下にスライドすることで、インパクトボール５０が振動板２２に衝突し、振動板２２が振動を行い、香水をより速く揮発させ、そしてファン１４が香水に風を吹き、香水が円突起ブロック２４に導かれて各方向へ送られる。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
0006883168.tif 000002
【図２】
0006883168.tif 000003
【図３】
0006883168.tif 000004
【図４】
0006883168.tif 000005